(57)【特許請求の範囲】
【請求項１】
配管ライン中の流体をサンプリングするために当該配管ライン内に伸長するプローブと、
前記プローブを用いて前記配管ライン内からサンプリングされたサンプル流体を光源を用いて照射し、照射された前記サンプル流体中の汚染物質粒子からの散乱光を集光する分析装置であって、前記配管ライン内の圧力および温度で前記サンプル流体の流れを受け取り、後に続く測定のために、内部に含まれる汚染物質粒子のサイズ，分布および汚染物質濃度を正確に維持するように、前記サンプル流体の流れを前記配管ライン内の圧力および温度で貯える、ように構成されたフローセルを有する、分析装置と、
前記分析装置からの散乱光から電気信号を生成する少なくとも１つの検出器と、
ａ）前記検出器からの電気信号を、評価のために、汚染物質粒子に関連したデジタルデータに変換し、ｂ）該デジタルデータを、更なる処理のために、通信ネットワークを介して、少なくとも１つのデジタルデータ処理装置に配信する、処理装置と、
を備える、ことを特徴とする配管ラインの汚染物質モニタ装置。
【請求項２】
前記プローブは、前記配管ライン中の流体を等速サンプリングして、前記配管ライン内の汚染物質の代表的な量がその後に計測できることを確かなものとするために、前記配管ライン内に伸長している、ことを特徴とする請求項１に記載の配管ラインの汚染物質モニタ装置。
【請求項３】
前記プローブは、前記配管ライン中の流体を等速サンプリングするために、実質的に均一な直径を有している、ことを特徴とする請求項２に記載の配管ラインの汚染物質モニタ装置。
【請求項４】
前記サンプル流体を配管ライン内へ再注入するポンプを更に備えている、ことを特徴とする請求項２に記載の配管ラインの汚染物質モニタ装置。
【請求項５】
前記配管ライン内の流体は高圧のガスフローである、ことを特徴とする請求項２に記載の配管ラインの汚染物質モニタ装置。
【請求項６】
前記プローブは、前記配管ライン中の流体を非等速サンプリングするために配管ライン内に伸長している、ことを特徴とする請求項１に記載の配管ラインの汚染物質モニタ装置。
【請求項７】
前記プローブは、前記配管ラインの内面に沿って位置する流体をサンプリングするために、当該配管ライン内へ最小限に伸長している、ことを特徴とする請求項１に記載の配管ラインの汚染物質モニタ装置。
【請求項８】
前記フローセルは、入口部と出口部と両者間の通路とを有し、該フローセルは、入口部で前記サンプル流体を受け取り、該サンプル流体が前記光源によって照射されることを許容するために前記通路を通って出口部へ、前記サンプル流体を指向させる、ことを特徴とする請求項１に記載の配管ラインの汚染物質モニタ装置。
【請求項９】
前記分析装置は、前記散乱光を集光し、この散乱光を、更なる処理のために検出器に送る、集光レンズを更に備えている、ことを特徴とする請求項１に記載の配管ラインの汚染物質モニタ装置。
【請求項１０】
前記配管ライン内の流体は高圧の流体フローである、ことを特徴とする請求項１に記載の配管ラインの汚染物質モニタ装置。
【請求項１１】
前記配管ライン内の流体は低圧の流体フローである、ことを特徴とする請求項１に記載の配管ラインの汚染物質モニタ装置。
【請求項１２】
前記光源はレーザ・ダイオードである、ことを特徴とする請求項１に記載の配管ラインの汚染物質モニタ装置。
【請求項１３】
前記検出器は、光電子倍増管，光ダイオード若しくは電荷結合素子である、ことを特徴とする請求項１に記載の配管ラインの汚染物質モニタ装置。
【請求項１４】
前記デジタルデータは、粒子分布，粒子サイズデータ及び汚染物質濃度を含む、ことを特徴とする請求項１に記載の配管ラインの汚染物質モニタ装置。
【請求項１５】
前記分析装置は、約０．１ミクロンから約１０ミクロンのサイズを有する液体エーロゾルの汚染物質粒子からの散乱光を集光するように設計されている、ことを特徴とする請求項１に記載の配管ラインの汚染物質モニタ装置。
【請求項１６】
前記分析装置は、約１１ミクロンから約１００ミクロンのサイズを有する液体ミストの汚染物質粒子からの散乱光を集光するように設計されている、ことを特徴とする請求項１に記載の配管ラインの汚染物質モニタ装置。
【請求項１７】
前記分析装置は、液体，エーロゾル及び固体の汚染物質粒子からの散乱光を集光するように設計されている、ことを特徴とする請求項１に記載の配管ラインの汚染物質モニタ装置。
【請求項１８】
前記処理装置は、デジタルデータを、イーサネット接続上で通信ネットワークに伝達するように設計されている、ことを特徴とする請求項１に記載の配管ラインの汚染物質モニタ装置。
【請求項１９】
前記処理装置は、デジタルデータを、ワイヤレス通信ネットワークにのせて伝達するように設計されている、ことを特徴とする請求項１に記載の配管ラインの汚染物質モニタ装置。
【請求項２０】
前記散乱光を検出器に向かわせる光ファイバケーブルを更に備えている、ことを特徴とする請求項１に記載の配管ラインの汚染物質モニタ装置。
【請求項２１】
前記光ファイバケーブルは、最適の感度と検出器の作動のためのレベルに、散乱光を低減するように働く、ことを特徴とする請求項２０に記載の配管ラインの汚染物質モニタ装置。
【請求項２２】
前記モニタ装置は流体に含まれる固体粒子をモニタするように構成されている、ことを特徴とする請求項１に記載の配管ラインの汚染物質モニタ装置。
【請求項２３】
前記モニタ装置は流体に含まれる水滴の存在をモニタするように構成されている、ことを特徴とする請求項１に記載の配管ラインの汚染物質モニタ装置。
【請求項２４】
前記モニタ装置は、配管ライン内のメインテナンスが必要であるかどうかを決定するために、汚染物質レベルを特定するように構成されている、ことを特徴とする請求項１に記載の配管ラインの汚染物質モニタ装置。
【請求項２５】
配管ライン中の流体をサンプリングするために当該配管ライン内に伸長するプローブと、
前記プローブを用いて前記配管ライン内からサンプリングされたサンプル流体を光源を用いて照射し、照射された前記サンプル流体中の汚染物質粒子からの散乱光を集光する分析装置であって、前記配管ライン内の圧力および温度で前記サンプル流体の流れを受け取り、後に続く測定のために、内部に含まれる汚染物質粒子のサイズ，分布および汚染物質濃度を正確に維持するように、前記サンプル流体の流れを前記配管ライン内の圧力および温度で貯える、ように構成されたフローセルを有する、分析装置と、
前記光源からの直接光は遮蔽する一方、前記汚染物質粒子からの散乱光は透過させるように設定されたフィルタと、
前記分析装置からの散乱光から電気信号を生成する少なくとも１つの検出器と、
ａ）前記検出器からの電気信号を、評価のために、汚染物質粒子に関連したデジタルデータに変換し、ｂ）該デジタルデータを、更なる処理のために、通信ネットワークを介して、少なくとも１つのデジタルデータ処理装置に配信する、処理装置と、
を備える、ことを特徴とする配管ラインの汚染物質モニタ装置。
【請求項２６】
プローブを用いて配管ライン中の流体フローから取り出されたサンプル流体を、汚染物質粒子をモニタするための装置内へ指向させ、後に続く測定のために、内部に含まれる汚染物質粒子のサイズ，分布および汚染物質濃度を正確に維持するように、汚染物質粒子を伴った前記サンプル流体を前記配管ライン内に存在する状態での圧力および温度で貯える、ステップと、
前記装置内で、前記サンプル流体内の汚染物質粒子から散乱光を生じさせるように、光源を用いて配管ラインからの前記サンプル流体を照射するステップと、
前記散乱光を、汚染物質粒子のサイズ，分布および汚染物質濃度を表す電気信号に変換するステップと、
この電気信号を、汚染物質粒子に関連したデジタルデータに処理するステップと、
このデジタルデータを、評価のために、遠隔に位置するデジタルデータ処理装置へ通信ネットワークを介して伝達するステップと、
を備える、ことを特徴とする配管ライン内の汚染物質モニタ方法。
【請求項２７】
配管ライン内の流体を非等速サンプリングするステップを更に備える、ことを特徴とする請求項２６に記載の方法。
【請求項２８】
配管ライン内の流体を等速サンプリングするステップを更に備える、ことを特徴とする請求項２６に記載の方法。
【請求項２９】
前記サンプル流体を配管ライン内へ再注入するステップを更に備えている、ことを特徴とする請求項２８に記載の方法。
【請求項３０】
前記サンプル流体を大気中へ放出するステップを更に備えている、ことを特徴とする請求項２８に記載の方法。
【請求項３１】
参照および比較のために、汚染物質粒子に関連したデータを蓄えるステップを更に備えている、ことを特徴とする請求項２６に記載の方法。
【請求項３２】
前記照射のステップは、前記配管ライン中の流体を等速サンプリングして、前記配管ライン内の汚染物質の代表的な量がその後に計測できることを確かなものとするために、前記配管ライン内に前記プローブを挿入することを含んでいる、ことを特徴とする請求項２６に記載の方法。
【請求項３３】
前記照射のステップは、サンプル流体中の少なくとも１つの汚染物質粒子が、光源からの光に触れて散乱光を生じさせることができるように、前記サンプル流体を、フローセルを通るように指向させることを含んでいる、ことを特徴とする請求項２６に記載の方法。
【請求項３４】
配信のステップは、デジタルデータを、イーサネット接続上で通信ネットワークへ伝達することを含んでいる、ことを特徴とする請求項２６に記載の方法。
【請求項３５】
配信のステップは、デジタルデータを、ワイヤレス通信ネットワーク若しくは放送信号にのせて伝達することを含んでいる、ことを特徴とする請求項２６に記載の方法。
【請求項３６】
配管ライン中の流体をサンプリングするために当該配管ライン内に伸長するプローブと、
入口部と出口部と両者間の通路とを有するフローセルであって、前記プローブを用いて前記配管ライン中の流体フローから取り出されたサンプル流体を、前記配管ライン内の圧力および温度で入口部から受け取り、汚染物質粒子のサイズ，分布および汚染物質濃度を前記配管ライン内に存在する状態で正確に維持するために、前記汚染物質粒子を伴った前記サンプル流体を前記配管ライン内の圧力および温度で貯え、前記サンプル流体を、前記通路を通って出口部へ向かうように指向させるフローセルと、
前記サンプル流体を容れた前記通路を横切って光ビームを伝播させ、汚染物質の粒子が集束したビームと触れたときに、該汚染物質粒子のサイズ，分布および汚染物質濃度により、散乱光を発生させる、光源と、
前記散乱光を集光し、その散乱光を、更なる処理のために検出器に伝送する、集光レンズと、
を備える、ことを特徴とする配管ラインの汚染物質モニタ装置。
【請求項３７】
前記プローブは、前記配管ライン中の流体を等速サンプリングして、前記配管ライン内の汚染物質の代表的な量がその後に計測できることを確かなものとするために、前記配管ライン内に伸長している、ことを特徴とする請求項３６に記載の配管ラインの汚染物質モニタ装置。
【請求項３８】
前記光源はレーザ・ダイオードである、ことを特徴とする請求項３６に記載の配管ラインの汚染物質モニタ装置。
【請求項３９】
前記集光レンズから受け取った散乱光を、汚染物質の粒子サイズに比例した電気信号に変換する、少なくとも一つの検出器と、
前記検出器から受け取った電気信号からデジタルデータを生成し、このデジタルデータを、表示および評価のために、通信ネットワークを介して少なくとも一つのデジタルデータ処理装置に配信する処理装置と、
を更に備えている、ことを特徴とする請求項３６に記載の配管ラインの汚染物質モニタ装置。
【請求項４０】
前記処理装置は、前記デジタルデータを、イーサネット接続上で通信ネットワークへ伝達する、ことを特徴とする請求項３９に記載の配管ラインの汚染物質モニタ装置。
【請求項４１】
前記処理装置は、前記デジタルデータを、ワイヤレス通信ネットワーク若しくは放送信号にのせて伝達する、ことを特徴とする請求項３９に記載の配管ラインの汚染物質モニタ装置。
【請求項４２】
プローブを用いて配管ライン中の流体フローから取り出されたサンプル流体を、汚染物質粒子をモニタするための装置内へ指向させ、後に続く測定のために、内部に含まれる汚染物質粒子のサイズ，分布および汚染物質濃度を正確に維持するように、汚染物質粒子を伴った前記サンプル流体を前記配管ライン内に存在する状態での圧力および温度で貯える、ステップと、
前記装置内で、前記サンプル流体内の汚染物質粒子から散乱光を生じさせるように、光源を用いて前記配管ラインからの前記サンプル流体を照射するステップと、
前記光源からの直接光は遮蔽する一方、前記汚染物質粒子からの散乱光は透過させるステップと、
前記散乱光を、汚染物質粒子のサイズ，分布および汚染物質濃度を表す電気信号に変換するステップと、
この電気信号を、汚染物質粒子に関連したデジタルデータに処理するステップと、
このデジタルデータを、評価のために、遠隔に位置するデジタルデータ処理装置へ通信ネットワークを介して伝達するステップと、
を備える、ことを特徴とする配管ライン内の汚染物質モニタ方法。
【請求項４３】
配管ライン中の流体をサンプリングするために当該配管ライン内に伸長するプローブと、
入口部と出口部と両者間の通路とを有するフローセルであって、前記プローブを用いて前記配管ライン中の流体フローから取り出されたサンプル流体を、前記配管ライン内の圧力および温度で入口部から受け取り、汚染物質粒子のサイズ，分布および汚染物質濃度を前記配管ライン内に存在する状態で正確に維持するために、前記汚染物質粒子を伴った前記サンプル流体を前記配管ライン内の圧力および温度で貯え、前記サンプル流体を、前記通路を通って出口部へ向かうように指向させるフローセルと、
前記サンプル流体を容れた前記通路を横切って光ビームを伝播させ、汚染物質の粒子が集束したビームと触れたときに、該汚染物質粒子のサイズ，分布および汚染物質濃度により、散乱光を発生させる、光源と、
前記光源からの直接光は遮蔽する一方、前記汚染物質粒子からの散乱光は透過させるように設定されたフィルタと、
前記散乱光を集光し、その散乱光を、更なる処理のために検出器に伝送する、集光レンズと、
を備える、ことを特徴とする配管ラインの汚染物質モニタ装置。
【発明の詳細な説明】
【技術分野】
【０００１】
本発明は、遠隔モニタシステム、特に、プロセス配管ライン中の汚染レベルを遠隔で監視（モニタ：monitor）するために設計された光学的なモニタシステムに関する。
【背景技術】
【０００２】
今日、商業的に入手可能なガスタービンや、産業上のプロセスに関連して使用されるその他の重要な気体（ガス：gas）又は流体の流れ（フロー：flow）システムは、固形の汚染物質（例えば、粒状物質），液状の汚染物質および／または液体の煙霧物質（液体エーロゾル：liquid aerosol）などのような、プロセス流体のフロー内に存在する汚染に対して、極度に敏感である。
一つの例として、固形の汚染物質は、回転する構成部品を摩耗させ、熱交換器を汚し、冷却液を汚染し、処理装置を詰まらせるように作用し得るだけでなく、製品の品質および数々の他のプロセス上の問題や装置の問題に影響を及ぼす。一方、液状の汚染物質は、時間と共に蓄積または融合することができ、量が増大しながら、配管ライン（パイプライン：pipeline）の側部および底部に沿って移動することができ、流体フローの効率に影響を及ぼす。同様に、液体のエーロゾル又は液滴も、量は少ないけれども、時間と共に同様に蓄積または堆積することができ、流体フローシステムにおける下流側の機器に損傷を及ぼすことがある。
【発明の概要】
【発明が解決しようとする課題】
【０００３】
このような汚染の発生を最小に止めるために、これら流体フローシステムに関連して、濾過および分離装置が採用されており、その結果、流体フローシステム内に存在する汚染物質は除去される。現在では、殆どの製造業者は、自身の処理（プロセス：process）ガス・フローシステムのための清浄さの要求仕様を開発している。
かかる要求に適応するために、現代のフィルタ（filter）やセパレータ（separator）は、粒状の汚染物質を高い効率で除去するように設計されてきた。しかしながら、液状の汚染物質あるいは液体のエーロゾルについての問題は残っている。しかも、適材の汚染物質の適切な除去をもたらす濾過および分離装置の選定は、難題である。
【０００４】
特に、異なる用途に関連して異なる汚染物質を取り扱うための濾過および分離装置が、利用可能である。その結果、流体フロー内の汚染物質およびその特性についての知識がなければ、不適切な濾過および分離装置が、選定され購入され、その後、取り付けられることになる。最適の、或いは少なくとも適切な濾過および分離装置の採用の失敗は、多くの場合、汚染物質の不適当な除去に繋がり、下流側の機器の損傷をもたらし製品の品質に有害な影響を及ぼす。更に、汚染物質の不十分な除去に起因する粗末な性能の結果、システムの運転コストが著しく上昇し得る。
【０００５】
たとえ適切なフィルタ及びセパレータが使用されるにしても、流体システム内の汚染物質が適切に制御されることを確かなものとするためには、更なる確証ステップ（step）が必要とされるかも知れない。今日では、エネルギ産業の配管ライン内の流体フロー汚染物質の殆どの試験は、その後に行う離れた場所での分析（offsite analysis）のために、流体フローの試料（サンプル：sample）を収集することによって達成される。
しかしながら、多くの場合、特に、サンプルが等速サンプリングで採取できないときには、実質的に的確なサンプルは手に入らないかも知れない。換言すれば、もし、採取システム（サンプリング・システム：sampling system）内への流体の流入が、加圧された処理流体フロー内の流体フローと同様の速度および運動エネルギを呈さなければ、流体フロー内の汚染物質の正確な代表（レプリゼンテーション：representation）が収集できないことになる。更に、現在では、収集されたサンプルは、第三者研究機関へ郵送されるか移送され、そこで、サンプルは測定および分析されるのを待つことになる。この間に、サンプルが変化し、汚染物質はサンプル容器に紛れてしまうことがしばしばである。
【０００６】
しかも、配管ライン内の汚染レベルは、突然に、また、非常に急速に上昇することが度々ある。例えば、エーロゾル粒子は、高価な機器に対する損傷を回避するのに間に合うように検出されることなく、急速に蓄積して危険な水準（レベル：level）に達することがある。現行の汚染物質粒子の検出器は、典型的には、配管ライン中のエーロゾル汚染物質を遠隔で且つ継続的に監視（モニタ：monitor）し、汚染物質の粒子が特定の閾値レベルに達したことについて迅速な報知および警報を発する能力を欠いている。以下において、汚染物質の粒子または「粒子」への言及は、液体，固体およびエーロゾル粒子を含み得るものであることが、理解されるべきである。
【０００７】
従って、流体フロー中の汚染物質粒子のレベルを遠隔で且つ継続して監視することができ、或る閾値に達したことについて警報を発することできるシステムに対する需要が存在している。
【課題を解決するための手段】
【０００８】
本発明は、或る一つの実施形態において、配管ライン内の流体フロー中の汚染物質レベルを計測し、流体フロー中の汚染物質に関係するデータ（data）を生成するモニタ装置（モニタ：monitor）を含むことができる遠隔式の汚染物質監視システムを提供している。このシステムは、また、前記モニタ装置と通信する遠隔配置されたデータ処理装置（データプロセッサ：data processor）を含み、評価のためにモニタ装置からデータを受信する。評価されたデータを受信するために、第２のデータ処理装置を、前記遠隔配置されたデータ処理装置と通信して、更に設けることができる。或る実施形態では、この第２のデータ処理装置はモニタ装置と通信することができる。
【０００９】
今一つの実施形態において、本発明は、通信ネットワーク（コミュニケーション・ネットワーク：communication network）に繋がり、データの更新情報や通知を受信するように構成された、少なくとも一つのデータ処理装置を含むことができる遠隔式の汚染物質監視システムを提供している。このシステムは、また、配管ライン内の流体フロー中の汚染レベルを継続的に監視し、流体フロー中の汚染物質に関係するデジタルデータ（digital data）を通信ネットワークにのせて配信するために、少なくとも一つの汚染物質モニタ装置（contaminant monitor）を含むこともできる。
遠隔配置されたデジタルデータ処理装置が、汚染物質モニタ装置と通信することができ、また、通信ネットワークを介して、少なくとも一つのデジタルデータ処理装置と通信することができる。前記遠隔配置されたデジタルデータ処理装置は、通信ネットワークからデジタルデータにアクセス（access）することができ、また、デジタルデータに関係したデータの更新情報や通知を、通信ネットワークを介して少なくとも一つのデジタルデータ処理装置に伝送することができる。
【００１０】
更なる実施形態において、本発明は、配管ライン中の液体エーロゾル汚染物質を遠隔で監視するために、配管ライン汚染物質モニタ装置を提供している。この配管ライン汚染物質モニタ装置は、配管ライン内に伸長する探針子（プローブ：prove）を含むことができ、このプローブは、配管ライン中の流体を等速サンプリング（isokinetically sampling）し、配管ライン内の汚染物質の代表的な量（representative amount）がその後に計測され得ることを確かなものとする。
配管ライン汚染物質モニタ装置は、また、サンプルとして採取された流体（サンプル流体：sampled fluid）をプローブから受け取り、このサンプル流体を光源で照射し、照射されたサンプル流体中の汚染物質粒子からの散乱光を集光することができる、分析装置（アナライザ：analyzer）を含むことができる。
配管ライン汚染物質モニタ装置は、また、前記散乱光を分析装置から受け取り、この散乱光を電気信号、或る実施形態では汚染物質の粒子サイズ（particle size）に比例した電気信号、に変換することができる、少なくとも一つの検出器（ディテクタ：detector）を含むこともできる。配管ライン汚染物質モニタ装置は、更に、前記検出器から電気信号を受け取り、この電気信号を、例えば粒子分布や粒子サイズなど、汚染物質粒子に関係したデジタルデータに変換する、処理装置（プロセッサ：processor）を含むことができる。この処理装置は、その後、デジタルデータを通信ネットワークに伝送し、表示および評価のために、少なくとも一つのデジタルデータ処理装置に配信することができる。
【００１１】
別の実施形態においては、本発明は、配管ライン汚染物質モニタ装置と共に用いる分析装置を提供している。この分析装置は、入口部と、出口部と、両者間の通路と、を有するフローセル（flow cell）を含むことができる。或る実施形態では、フローセルは光透過性（transparent）であり得る。フローセルは、入口部でプローブからのサンプル流体を受け取ることができ、そして、前記通路を通ってこのサンプル流体を出口部から出るように指向させることができる。フローセル内の前記通路は、採取空間（スペース：space）としての役割を果たすことができる。フローセルは、例えば、石英，ガラス，プラスチック，サファイア（sapphire）など、様々な光透過材料で製作することができる。
分析装置は、また、サンプル流体を容れた前記通路の一部分に集束した光ビーム（beam）を伝播させ、その結果、汚染物質の粒子が集束したビームと触れることによって照らし出されたときに、散乱光が発生することができるために、例えばレーザ・ダイオード（laser diode）のような光源を含むことができる。分析装置は、散乱光を集光し、その散乱光を、更なる処理のために光電子倍増管（フォトマルチプライア：photomultiplier）などの検出器に伝送するために、集光レンズ組立体（collection lens assembly）を含むことができる。
【００１２】
今一つの実施形態においては、本発明は、配管ライン内の汚染物質を監視する方法を提供している。この方法は、１）配管ライン中の流体を等速サンプリングし、配管ライン内の汚染物質の代表的な量がその後に計測され得ることを確かなものとするために、配管ライン内にプローブを挿入すること、２）配管ライン中の流体を等速サンプリングすること、３）採取された流体を光源で照射すること、４）照射されたサンプル流体内の粒子からの散乱光を集光すること、５）この散乱光を、汚染物質の粒子サイズに比例し得る電気信号に変換すること、６）この電気信号を、汚染物質粒子に関係したデジタルデータに変換すること、及び７）このデジタルデータを、表示および評価のために、通信ネットワークを介して少なくとも一つのデジタルデータ処理装置に配信すること、を含んでいる。
【００１３】
別の実施形態においては、本発明は、配管ラインの汚染物質モニタ装置を提供しており、このモニタ装置は、１）配管ライン中の流体を等速サンプリングし、配管ライン内のエーロゾル汚染物質の代表的な量がその後に計測され得ることを確かなものとするために、配管ライン内に伸長するプローブと、２）入口部と出口部と両者間の通路とを有する石英製のフローセルであって、サンプル流体が、入口部で受け取られ、前記通路を通って出口部から出るように指向させられるフローセルと、３）サンプル流体を容れた前記通路の一部分に集束した光ビームを伝播させ、その結果、汚染物質の粒子が集束したビームと触れるときに、散乱光が発生することができるために、レーザ・ダイオードなどの光源と、４）散乱光を集光し、その散乱光を、更なる処理のために検出器に伝送する集光レンズと、を含むことができる。
【００１４】
また、更に別の実施形態においては、本発明は、配管ライン内の流体を非等速（non-isokinetically）サンプリングすることができる配管ラインの汚染物質モニタ装置を提供している。配管ライン内の流体の一定した非等速サンプリングは、ある種の流体の流れ（ストリーム：stream）をモニタする必要がある場合に用いることができる。
【図面の簡単な説明】
【００１５】
【図１】本発明の一実施形態に係るシステム構成の全体図である。
【図２】本発明の或る実施形態に係る流体フロー中の汚染物質を監視するアッセンブリの機能的な構成部品を示す説明図である。
【図３】図２のシステムと結び付いて使用されるサブアッセンブリの説明図である。
【図４】図２のシステムと結び付いて使用されるサブアッセンブリの説明図である。
【図５】図２のシステムと結び付いて使用されるサブアッセンブリの説明図である。
【図６】図２のアッセンブリ内で一旦処理された汚染物質サンプルの配置に対する様々のオプションを示す説明図である。と結び付いて使用されるサブアッセンブリの説明図である。
【図７】図２のアッセンブリの物理的な部品，接続および配列の実施形態を示す説明図である。
【図８】本発明の或る実施形態と結び付いて使用されるプローブの説明図である。
【発明を実施するための形態】
【００１６】
概して言えば、また、図１を参照すれば、本発明は、一つの実施形態において、例えば配管ライン１１等の流体フローシステム内の、例えば液体エーロゾル粒子のような汚染物質を遠隔でモニタするのに用いるシステム１０を提供している。配管ライン１１内の流体フローは、或る一つの実施形態では、高圧の流体フローであるかも知れない。この代わりに、配管ライン１１内の流体フローが、低圧の流体フローであってもよい。
システム１０の全体構成は、クライアント・サーバ・アーキテクチュァ（client-server architecture）内に構成され得る複数のデジタルデータ処理装置を含むことができる。例えば、中央サーバ（セントラル・サーバ：central server）２３のようなデジタルデータ処理装置が、例えば、インターネット（Internet），ワイヤレス・ネットワーク（wireless network），ランドライン（landline）等のネットワーク２２を通じて、例えばクライアント・サーバ２０及び汚染物質モニタ装置１０１に繋がる（リンクする：link）ことができる。この代わりに、中央サーバ２３が、衛星（サテライト：satellite）システム１０２を介して、クライアント・サーバ２０及び汚染物質モニタ装置１０１にリンクすることができる。他の設計および構造も、もちろん可能であろう。
【００１７】
或る実施形態では、汚染物質モニタ装置１０１は、配管ライン１１中の流体フロー１２内の汚染レベルを継続的にモニタするように設計することができる。流体フロー１２内の汚染物質は、液体エーロゾル，液体ミスト（mist），固形粒子、或いは炭化水素凝縮液の煙霧物質（エーロゾル）を含むことができ、大きさ（サイズ：size）も変動し得る。例えば、液体エーロゾルの粒子は、大略０．１ミクロン（micron）から約１０ミクロンの範囲で、その大きさが変動する。また、液体ミストの粒子は、大略１１ミクロンから約１００ミクロンの範囲で、その大きさが変動する。
一方、配管ライン１１内の流体フロー１２は、液体または気体であってもよく、或いは、液体成分と気体成分の両方を有していてもよい。例えば、或る実施形態では、流体フロー１２は、高圧下にある濃厚な天然ガスであってもよい。
【００１８】
典型的には、濃厚な天然ガスの流れ（ストリーム）は、圧力および温度の変化に曝されると、液状の形態に凝縮することができる。液体フロー中では、水および炭化水素成分を含み得るこれら凝縮粒子は、約０．１から１０ミクロンの範囲で変動するエーロゾル粒子として存在することができる。これらエーロゾルは揮発性であるので、圧力および温度の僅かな変化で蒸発し凝縮することができる。或る実施形態では、汚染物質モニタ装置１０１は、汚染物質のエーロゾルを、それらが配管ライン１１内に存在する状態で、配管ラインの圧力下および温度下で、採取して測定することができる。高圧とは、大気圧を越える圧力であれば、如何なる圧力であってもよい。例えば、或る実施形態では、配管ライン１１中の流体フロー１２が、２０００ＰＳＩ（ポンド・パー・スクェア・インチ：pounds per square inch）；つまり１平方インチ当たり２０００ポンドに加圧される。
【００１９】
汚染物質モニタ装置１０１は、また、ネットワーク２２を介して、配管ライン１１から遠隔配置された中央サーバ２３に、データの更新情報や警報通知を送るように設計することもできる。そのために、もし汚染レベルが所定の閾値を越える場合には、汚染物質モニタ装置１０１は、クライアント・サーバ２０に、及び中央サーバ２３にも同時に、報知することができる。別の実施形態では、汚染物質モニタ装置１０１は中央サーバ２３のみに報知でき、その後に中央サーバ２３がクライアント・サーバ２０に報知する。
どちらの実施形態においても、中央サーバ２３は、汚染物質モニタ装置１０１及びそのデータに対し、例えば、制限されない継続的なアクセスを有することができる。中央サーバ２３は、また、例えば配管ライン１１についての問題を解決または診断するために、参照および比較の目的で、流体フローの汚染物質に関連したデータをデータ格納部１０３に格納することができる。
【００２０】
更に、前記システム１０は、汚染レベルが所定の閾値を越える場合に発生されるべき報知警報を与えることができる。前記所定の閾値は、用途（アプリケーション）によって異なるレベルに設定できることに、留意すべきである。警報は、ワイヤレス装置２４，２５を介して、中央サーバ・サイト（site）からクライアント・サーバ・サイトへ伝送される。ワイヤレス装置の例には、携帯無線電話（セルフォン：cell phone），手持ち式の（ハンドヘルド：hand-held）ＰＤＡ，ラップトップ式の（laptop）コンピュータなどが含まれる。
【００２１】
或る実施形態では、システム１０は、流体フロー１２を有する配管ライン１１内に、例えば弁（バルブ：valve）などのアクセスポイント（access point）を通して挿入することができるプローブ１３を含んでいる。或る実施形態では、プローブ１３は、例えばエーロゾル粒子のような、流体フロー１２中の気体要素（gaseous element）を等速サンプリングするように、設計することができる。
換言すれば、プローブ１３は、配管ライン１１内の流体フローが呈する流体の速度および圧力と実質的に同様の速度および圧力で、流体サンプルを収集する。等速サンプリング法は、配管ライン１１に沿った汚染レベルを代表する汚染レベルで、サンプルが収集されることを確かなものとする。一旦収集されると、流体サンプルは、プローブ１３によって汚染物質モニタ装置１０１内へ指向させられる。
【００２２】
別の実施形態では、プローブ１３は、配管ライン１１内の流体フロー１２の気体要素を、非等速サンプリングするように設計することができる。例えば、プローブ１３は、配管ライン１１内の流体フローが呈する流体の速度および圧力とは異なった速度および圧力で、流体サンプルを収集することができる。
配管ライン内の流体の定常的な非等速サンプリング（constant non-isokinetic sampling）は、様々なタイプの流体ストリームをモニタする必要がある場合、或いは、相対的なデータの比較を行うために利用されることができる。利用されるサンプリング法に拘わらず、流体サンプルは、プローブ１３によって汚染物質モニタ装置１０１内へ指向させられる。
【００２３】
図１に示されるように、汚染物質モニタ装置１０１は、或る実施形態では、分析装置１５，光ファイバケーブル１６及び処理装置アッセンブリ１７の、３つのサブアッセンブリを含むことができる。この構成は、汚染物質モニタ装置１０１の単なる一例である。当業者であれば、サブアッセンブリ１５，１６及び１７が単一のアッセンブリ・ユニットに組み合わせ可能であること、若しくは、複数のアッセンブリに製作され得ることを、理解することであろう。
或る実施形態においては、汚染物質モニタ装置１０１及び／又はそのサブアッセンブリ１５，１６及び１７は、一つのハウジング（housing）内にすっぽり容れることができる。用途に応じて、ハウジング（不図示）は、例えば、クラス１（class 1），デビジョン１又は２（division 1 or 2）の防爆仕様のハウジングとすることができる。
【００２４】
図２を参照すれば、或る実施形態においては、モニタ装置１０１の分析装置１５は、フローセル２７を含み得る。或る実施形態においては、フローセル２７は光透明性であってもよい。フローセル２７は、入口部２８と、出口部３０と、両者間に配置された通路２９と、を備えている。フローセル２７は、入口部２８で、プローブ１３から収集された流体を受け取り、流体は、通路２９を通って進行し、出口部３０から出て行くことができる。或る実施形態では、通路２９は、汚染物質の粒子を特定するために流体が光源３１によって照射され得るサンプリング空間（スペース：space）としての役割を果たすことができる。
【００２５】
或る実施形態では、光源３１は、集光された光ビーム２０１を発生させることができる、レーザシステム若しくは他の光源とすることができる。光源３１は、集光された光ビーム２０１を、フローセル２７内のサンプル流体２６を容れた通路２９の一部分に向かって伝播させるように、設計することができ、その結果、サンプル流体２６内の汚染物質の粒子が集光された光ビーム２０１と触れたときに、散乱光が発生させられる。
図３に示された実施形態では、光源３１は、例えば、約６５８ナノメータ（nanometers）の波長および約５０ｍｗのパワー（power）で赤外線を放射することができる赤外線レーザ・ダイオード（infrared laser diode）４８を含むことができる。レーザ放射線（laser radiation）の波長および出力パワーは、異なる用途（アプリケーション）に対して、チューニング又は調整を許容するように設計できることが理解されるべきである。光源３１は、更に、レーザ・ダイオード４８から放射されたビーム２０１を集束させ、実質的にフローセル２７の中心部に指向させる、焦点レンズ（focus lens）４９を含むことができる。
ノイズ（noise）を低減するために、集束したレーザビーム２０１上に空間的なフィルタ（spatial filter）５１を備えることができる。或る実施形態では、光源３１は、また、１）光源アッセンブリを一緒に保持する鏡筒（レンズチューブ：lens tube）４４，２）焦点レンズ４９をレンズチューブ４４に結合するアダプタ（adaptor）４５，及び３）焦点レンズ４９を保持するための焦点レンズチューブ４６も、含むことができる。
【００２６】
或る実施形態では、フローセル２７は、光源３１を収容するために、管状もしくは矩形形状、又は他の如何なる幾何学形状であってもよく、また、後に続く分析のために、光源３１からの光が進行できるように、光に対して比較的透過性とすることができる。この目的で、フローセル２７は、石英材料で製作され得る。勿論、ガラス，プラスチック或いはサファイア（sapphire）など、他の好適な材料も用いることができる。
【００２７】
図４を参照すれば、フローセル２７の位置を保つために、用いられる高圧の気体フロー用に、フローセル組立体（アッセンブリ：assembly）３００が設けられてもよい。或る実施形態では、組立体３００は、フローセル２７が固定されるベース（base）３７を含むことができる。或る実施形態では、ベース３７は、ベース３７は２つの端末ベース３７１を含み、この両者間にフローセル２７が固定されてもよい。
組立体３００は、また、２つの端末ベース３７１を連結し、これら端末ベース３７１をお互いの方向に引っ張って両者間にフローセル２７を固定する、連結ロッド３８を備えることができる。或る実施形態では、フローセル２７からのサンプル流体の漏洩を防止するために、封止ガスケット・リング３９が用いられる。更に、ベース３７の端末部の位置を保持するためにアダプタ板４２が備えられてもよく、ベース３７の端末部をアダプタ板４２に固定するために連結ロッド４１，４３を用いることができる。
組立体３００及びその構成部品は、フローセル２７を適切な位置に締め付け固定するための組立機構の、単に一つの実施形態に過ぎないことに留意されるべきである。当業者であれば、フローセル２７を固定するのに様々な組立機構を用いることができることを理解しよう。
【００２８】
図２をなお参照すれば、分析装置１５は、集光レンズ組立体３３を含むことができる。集光レンズ組立体３３は、フローセル２７から放射される散乱光を集光するように設計することができ、集光された散乱光を検出器３４に指向させることができる。或る実施形態では、散乱光は光ファイバケーブル１６を介して、検出器３４に指向させられる。勿論、散乱光の検出器３４への指向は、光ファイバケーブルの使用を含まない他の既知の機構を用いて達成することもできる。或る実施形態では、検出器３４は、処理装置アッセンブリ１７内に位置することができる。
図５に示されるように、集光レンズ組立体３３は、光フィルタ５２，レンズ系（lens system）５４及び光ケーブル・アダプタ５７を備えることができる。図に示されるように、光フィルタ５２は、光源３１から入射するレーザビームのような直接光は遮蔽（ブロック：block）し、粒子からの散乱光はフィルタ５２を通過できるように設計するようにしてもよい。或る実施形態では、フィルタ５２を通過した散乱光は、レンズ系５４によって集光することができる。或る実施形態では、レンズ系５４は、粒子からの散乱光３２を前方へ向かって集光するように設計された、対向する凸レンズを含むことができる。レンズ系は、他の形態、例えば、１つのレンズが２つのレンズ系の特性を有する限り、その１つのレンズを有していてもよい、ことに留意すべきである。
集光された散乱光は、レンズ系５４により、光ファイバケーブル１６を介して、例えば検出器３４のような、光学センサに指向させられる。或る実施形態では、光ファイバケーブルは、検出器の作動にとって最適レベルの感度に、散乱光を低減する働きをすることができる。或る実施形態では、光ファイバケーブル１６は、光ケーブル・アダプタ５７５７によって集光レンズ組立体３３に接続されることができる。
集光レンズ組立体３３は、また、レンズ系５４を収容する調整可能な管状部分（tube portion）５３を有することができるレンズチューブ５６レンズ系５４をその位置に固定するために、レンズ系５４を組立体３３の調整可能な管状部分５３に維持する止め輪（リテイニング・リング：retaining ring）が設けられてもよい。調整可能な管状部分５３は、ロック機構（locking mechanism）５８によって、その位置がロックされる。勿論、他のアッセンブリ及び機構を用いて、レンズ系５４をその位置に固定することもできる。
【００２９】
図６を参照すれば、或る実施形態では、モニタ装置１０１の分析装置１５は、また、流速を制御し、サンプル流体２６がもはや不要となったときに、そのサンプル流体２６を分析装置１５が排出させるのに用いることができ解放弁（リリースバルブ：release valve）を備えることができる。分析装置１５を出た後、サンプル流体２６の廃棄には、幾つかの選択肢（オプション）がある。
或る選択肢においては、サンプル流体２６は、高圧のガスポンプ６１又はコンプレッサを用いて、高圧で配管ライン１１内へ再注入して戻される。今一つの選択肢においては、サンプル流体２６は大気６０中に放出される。この選択肢は、費用対効果は高いけれども、放出されるサンプルの量が、温室効果ガスの排出要求（greenhouse gas emissions requirement）に適応する必要があるかも知れない。更なる選択肢として、分析されたサンプル流体２６を低圧の配管ライン又はフレア・システム（flare system）に向かわせてもよい。
【００３０】
図７は、モニタ装置１０１の組み立てられた分析装置１５の一つの実施形態を示している。図に示されるように、光源３１，フローセル２７，集光レンズ組立体３３及び光ファイバケーブル１６が、分析装置１５内に一列に並んで配置されている。勿論、他の設計のものが用いられてもよい。サブアッセンブリ及び構成部品を支持し保護するために、外側ケース７０と結合ロッド７１とが設けられてもよい。
【００３１】
図２を再び参照すれば、気が付かれるように、モニタ装置１０１は、処理装置アッセンブリ１７も含み得る。今一つの実施形態では、処理装置アッセンブリ１７は、分析装置１５内の集光レンズ組立体３３から散乱光を受光し、その散乱光をデータに変換し、そのデータを通信ネットワーク２２に配信して中央サーバ２３へ送るように構成することができる。
或る実施形態では、処理装置アッセンブリ１７は、検出器３４を含むことができる。検出器３４は、例えば光ダイオード（フォトダイオード：photodiode），光電子倍増管（フォトマルチプライア・チューブ：photomultiplier tube）若しくは電荷結合素子（charge-coupled device）のような光学センサであってもよい。検出器３４は、集光レンズ組立体３３から散乱光を受光し、その散乱光を電気信号に変換することができ、この電気信号は、或る実施形態では、サンプル流体２６内の汚染物質粒子のサイズに比例するものであってもよい。これを達成するために、様々なアルゴリズム（algorithm）や商業的に入手可能な技術を用いることができる。散乱光の強度は、粒子の寸法とその屈折率によって定まる。かかる情報を用いて、散乱光の強度から粒子サイズを決定することができる。
【００３２】
処理装置アッセンブリ１７は、検出器３４からの電気信号を受信するように設計された処理装置（プロセッサ：processor）も備えることができる。これらの信号は、その後、定量化され、汚染物質粒子に関連したデジタルデータに変換することができる。このデジタルデータは、例えば粒子サイズ，汚染濃度および粒子分布のような情報を含むことができる。或る実施形態では、処理装置３５は、表示および評価のために、デジタルデータを、インターネットを含み得る通信ネットワーク２２にのせて中央サーバ２３へ送ることもできる。
【００３３】
或る実施形態では、処理装置３５は、例えば、携帯無線電話（セルフォン：cell phone），衛星（サテライト：satellite）通信装置，ラジオ放送信号もしくはイーサネット（Ethernet：登録商標）接続などの無線通信装置２０２を介して、デジタルデータを中央サーバ２３及び／又は通信ネットワーク２２に伝送することができる。或る実施形態では、通信装置２２は、処理装置アッセンブリ１７の一部分であってもよい。この代わりに、通信装置２２が、処理装置アッセンブリ１７への外部接続（external connection）であってもよい。
【００３４】
別の実施形態においては、処理装置３５は、システム１０の陸上通信線（ランドライン：landline）又はネットワーク接続１８，１９にのせて、例えばイーサネット・ハブ（hub）のようなラン（ＬＡＮ）へデジタルデータを送ることができ、前記ＬＡＮから、インターネット若しくは他の通信ネットワーク２２を介して中央サーバ２３及び／又はクライアント・サーバ２０により、データがアクセス可能となる。
【００３５】
更に、システム１０は、例えばセルフォン，ＰＤＡ等の通信装置２４，２５を備えることができる。例えば汚染レベルが余りにも高い等の緊急の状況では、中央サーバ側でセルフォン２４が用いられて、セルフォン２５を呼び出し、緊急事態についてクライアント・サーバの職員に警報を発することができる。
【００３６】
図８に示された今一つの実施形態８０では、流体フロー１２は、低圧の気体フロー或いは高圧の気体フローの何れであってもよい。しばしば、気体フロー中では、液体の膜（フィルム：film）８１が生成し、配管ライン１１の内面８３に沿って移動する。プローブ１３を配管ライン１１の中心部に向かって余りに遠くに伸長させていれば、ガス流体フロー１２の適切なサンプリングはもたらされるが、液体膜８１は検出されないままである。
配管ライン１１内でのプローブ１３の適正な位置決めは、プローブ１３に、エーロゾル粒子，ミスト粒子、及びガス状流体フロー１２によって移動させられるに十分に小さい、或いはガス状流体フロー１２内で飛沫同伴させられるに十分に小さい、固体の粒子を、サンプルとして採取できるようにする。多くのタイプの流体フローに対しては、流体フロー１２の精確な代表サンプル（representative sample）を得るのに、プローブ１３は、配管ライン１１内の事実上どこに配置してもよい。
しかしながら、ガス状流体フロー１２だけでなく、配管ライン１１の内面に沿って移動する液体膜８１をもサンプルとして採取するには、プローブ１３は配管ライン１１内に最小限に伸長させればよい。例えば、プローブ１３は配管ライン１１内へ伸長させられ、配管ライン１１の内面８３を越えて（或いは大きく越えて）伸長しないように、位置決めすればよい。後に続く検出と計測のためにガス状流体フロー１２と共にプローブ１３内へ移動するに十分に小さいミスト粒子およびエーロゾル粒子８２と同様に、液体膜８１は、配管ライン１１の内面８３から逃げ落ちることができる。
【００３７】
図１及び図２を再び参照すれば、操作（オペレーション：operation）に際して、配管ライン１１内の流体フロー１２は、プローブ１３により、継続的に若しくは周期的に、等速サンプリングでサンプル採取することができる。その後、プローブ１３は、汚染物質モニタ装置１０１内の分析装置１５にサンプル流体２６を指向させることができる。サンプル流体２６は、分析装置１５に入ると直ぐに、フローセル２７を通って指向させられる。サンプル流体２６は、入口部２８からフローセル２７内に入ることができる。サンプル流体２６は、フローセル２７内の通路２９を通って進行するときに、光源３１によって発生させられたレーザビーム２０１を横切り、このレーザビームによって照射される。或る実施形態では、レーザビーム２０１は、フローセル２７の略中心に向けられる。
【００３８】
サンプル流体２６内の照射された汚染物質粒子は、照射に応答して、光線３２に散乱を生じさせ、フローセル２７から様々な方向に光を放射させる。或る実施形態では、散乱光の強度は、粒子の寸法および屈折率によって定められることができる。従って、散乱光の強度から粒子サイズを計算することができる。その後、集光レンズ組立体３３は、散乱光３２を前方に向かって集光させ、光ファイバケーブル１６を介して、分析装置１５の外部へ、そして、更なる処理のために処理装置アッセンブリ１７内に位置する検出器３４に、指向させる。また、サンプル流体２６は、一旦、出口部３０からフローセル２７を出ると、もはや不要かもしれず、リリースバルブ３６を通って分析装置１５から開放することができる。
【００３９】
或る実施形態では、検出器３４は、光電子倍増管，光ダイオード、又はその両方を備えることができ、また、処理装置アッセンブリ１７内に位置することができ、そして、光ファイバケーブル１６から散乱光を受光することができる。或る実施形態では、検出器３４は、散乱光を、汚染物質粒子のサイズに比例するモジュール方式の電気信号（modular electrical signal）に変換するように働くことができる。その後、検出器３４は、その電気信号を、処理装置３５に伝送することができる。この処理装置３５は、電気信号を定量化して汚染物質粒子に関連したデジタルデータに変換することができるものである。
このデジタルデータは、粒子サイズ，汚染濃度および粒子分布データを含むことができる。また、このデジタルデータは、その後、汚染物質のレベルが、許容可能な閾値レベル以上であるか否かを定めるのに利用することができる。或る実施形態では、０．１ミクロンから１００ミクロンの範囲にある粒子サイズを識別することができる。
【００４０】
その後、処理装置３５は、デジタルデータを、表示および評価用にクライアント・サーバ２０へ直接に伝達するために、イーサネット接続またはワイヤレス通信装置を利用して、当該クライアント・サーバ２０への接続リンク（link）１９を形成することができる。
本発明の或る実施形態では、デジタルデータは、リンク１８及びネットワーク２２を介して、遠隔に位置する中央サーバ２３へ同時に伝送されることができる。デジタルデータのクライアント・サーバ２０及び中央サーバ２３への伝達に加えて、警報および緊急事態状況の報知も送ることができる。
【００４１】
別の実施形態では、汚染物質モニタ装置１０１とクライアント・サーバ２０との間に、直接の通信リンクが無いかも知れない。かかる構造では、デジタルデータは、通信リンク８にのせネットワーク２２を横切って中央サーバ２３に伝達することができる。その後、中央サーバ２３は、デジタルデータを評価して配管ライン１１内の汚染レベル決定し、もし必要であれば、インターネット２２及び通信リンク２１にのせて伝達されたレポートで、クライアント・サーバ２０を更新（アップデート：update）することができる。同様に、中央サーバ２３は、例えば、汚染物質の閾値レベルが危険なレベルまで上昇すれば、緊急事態状況について、クライアント・サーバ２０に報知し警報を発することができる。
【００４２】
本発明は、例えば、発電や超音波ガス（気体）計測など、汚染物質に敏感な重要な用途に用いることができる。本発明は、配管ライン内の高い汚染レベルによって下流側の機器が損傷を受ける危険性がある場合について、顧客（customer/client）に徴候を知らせるのに用いることができる。本発明は、また、汚染レベルの更新情報をもたらすだけでなく、汚染レベルに急激な上昇が見られた場合に迅速な警報を発するサービス（service）として、履行することができる。
【００４３】
本発明の利点は、複合的な配管ライン中の汚染レベルを、遠隔式で継続的に、また、単一の中央サーバから複数のサイト（site）で、監視（モニタ）することができる能力を含んでいる。本発明の別の利点は、顧客側（顧客サイト）での機器の損傷を防止するために、顧客サイトでの突然の汚染レベルの上昇について迅速に応答し報知する能力である。
【００４４】
本発明は、特定の実施形態に関連して説明されたが、なお一層の変更が可能であることが理解されよう。更に、本出願は、本発明が関連する技術分野の既知または慣用の実施の範囲内での、この開示からの逸脱も含めて、本発明のあらゆる変形，使用もしくは適用を保護するものである。
【図１】
0005574959.tif 000002
【図２】
0005574959.tif 000003
【図３】
0005574959.tif 000004
【図４】
0005574959.tif 000005
【図５】
0005574959.tif 000006
【図６】
0005574959.tif 000007
【図７】
0005574959.tif 000008
【図８】
0005574959.tif 000009